(57)【要約】【課題】保護すべき角部にビス等の止着材によって容易に取り付けることができ、かつ、丈夫な角部保護材を提供する。【解決手段】物品の角部５を覆うようにして設けられる保護材本体２と、保護材本体２と一体的に、かつ保護材本体２によって表面が覆われるようにして設けられた固定部３とを備え、保護材本体２は、前記固定部３の表面３ｃの少なくとも一部を前記保護材本体２から露出させるように弾性変形可能である。したがって、固定部３を角部５に当接したうえで、保護材本体２を弾性変形させて、固定部３の表面３ｄを露出させ、ビス等の止着材６を角部５にねじ込むまたは打ち込むことによって、保護すべき角部５に固定部３を容易に固定できる。よって、角部保護材１を容易に角部５にビス等の止着材によって取り付けることができる。また、保護材本体２に空洞部等を形成する必要がないので、保護材本体２も丈夫であり空洞部等に塵等が入るといったこともない。【選択図】図１
2006336373.tif 000002
【特許請求の範囲】
【請求項１】
物品の角部に取り付けられて、該角部を保護する角部保護材であって、
前記角部に、該角部を覆うようにして設けられる保護材本体と、
この保護材本体の、前記角部に面する側に前記保護材本体と一体的に、かつ保護材本体によって表面が覆われるようにして設けられ、前記角部に裏面を当接するようにして固定される固定部とを備え、
前記保護材本体は、前記固定部の表面の少なくとも一部を前記保護材本体から露出させるように弾性変形可能であることを特徴とする角部保護材。
【請求項２】
請求項１に記載の角部保護材において、
前記固定部より前記保護材本体が軟性であることを特徴とする角部保護材。
【請求項３】
請求項１または２に記載の角部保護材において、
前記保護材本体と固定部との間には、前記固定部を止着材によって前記角部に固定する際に、該止着材の頭部を収めるスペースが設けられていることを特徴とする角部保護材。
【請求項４】
請求項１〜３のいずれか一項に記載の角部保護材において、
前記保護材本体の端部には、係合部が形成されており、
前記固定部の端部には、前記係合部が係合される被係合部が形成されていることを特徴とする角部保護材。
【請求項５】
請求項１〜３のいずれか一項に記載の角部保護材において、
前記保護材本体と固定部とのいずれか一方に、凸部が形成され、他方にこの凸部が凹凸嵌合する凹部が形成されていることを特徴とする角部保護材。
【発明の詳細な説明】
【技術分野】
【０００１】
本発明は、例えば、建物、家具、各種の機械器具などの物品の角部を保護する角部保護材に関するものである。
【背景技術】
【０００２】
建物の柱の角部、テーブルの角部、さらには各種機械器具の角部に、人や物などがぶつかると、人や物が受けるダメージが思いの外大きいものとなったり、あるいは角部そのものが損壊してしまうことがある。
このような角部に取り付けられて、該角部を保護する角部保護材の一例として、特許文献１に記載のものが知られている。特許文献１に記載の保護ガード材は、折り曲げ可能な弾性片に、角部分に対応する溝部を設け、保護すべき角部分に溝部を合わせて弾性片を折り曲げ、弾性片の適所に接着剤を塗布したり、両面接着テープを取り付けることで、角部に保護ガード材を取り付けるようにしている。このような保護ガード材は、角部に接着剤や両面テープによって取り付けるため、外力によって剥がれ易く、また、両面テープや接着剤では取り付け難い場合もあった。
【０００３】
そこで、角部保護材を両面テープ等ではなく、ビス等によって強固に固定するものが、特許文献２および３に記載れている。
特許文献２に記載の角部保護材は、蝶番部により折り曲がり自在に形成された長尺板状の基板と、基板の表面を覆って装着される弾性カバーからなり、蝶番部によって前記基板が折り曲げられるときに前記弾性カバーも共に折り曲げられるものである。このような角部保護材を角部に取り付ける場合、基板をビス等によって固定した後、この基板に弾性カバーを装着している。
また、特許文献３に記載の角部保護材は、ゴム等の弾性体でなり、取付ビスの頭部を収納する空洞部を有するものである。このような角部保護材を角部に取り付ける場合、取付ビスの頭部を収納する空洞部を有するから、取付ビスをこの空洞部分にねじ込むことで、簡単に装着できる。
【特許文献１】特開２００１−３５５６６４号公報
【特許文献２】特開２００２−６１３８４号公報
【特許文献３】特開平８−１８４１６８号公報
【発明の開示】
【発明が解決しようとする課題】
【０００４】
ところが、上記特許文献２に記載の角部保護材では、基板と弾性カバーが別体となっており、基板をビス等によって保護すべき角部に固定した後、この基板に弾性カバーを装着しているので、角部保護材を角部に取り付けるのに手間がかかる。
これに対し、特許文献３に記載の角部保護材では、取付ビスの頭部を収納する空洞部を有するので、取り付けは簡単であるが、空洞部に通じる切込みがあるので、この切込みから空洞部に塵等が入り易くまた、切込みが入った部分の壁部が薄いので、この部分がへたり易い。
【０００５】
本発明は上記事情に鑑みてなされたものであり、保護すべき角部にビス等の止着材によって容易に取り付けることができ、かつ、丈夫な角部保護材を提供することを課題としている。
【課題を解決するための手段】
【０００６】
上記課題を解決するために、請求項１に記載の発明は、例えば図１および図２に示すように、物品（例えば柱４）の角部５に取り付けられて、該角部５を保護する角部保護材１であって、
前記角部５に、該角部５を覆うようにして設けられる保護材本体２と、
この保護材本体２の、前記角部５に面する側に前記保護材本体２と一体的に、かつ保護材本体２によって表面が覆われるようにして設けられ、前記角部５に裏面３ｄを当接するようにして固定される固定部３とを備え、
前記保護材本体２は、前記固定部３の表面３ｃの少なくとも一部を前記保護材本体２から露出させるように弾性変形可能であることを特徴とする。
【０００７】
請求項１に記載の発明によれば、保護材本体２が、固定部３の表面の少なくとも一部を保護材本体２から露出させるように弾性変形可能であるので、固定部３の裏面３ｄを保護すべき角部５に当接したうえで、保護材本体２を弾性変形させて、固定部３の表面３ｄを露出させ、この露出した固定部３の表面３ｄからビス等の止着材６を角部５にねじ込むまたは打ち込むことによって、保護すべき角部５に固定部３を容易に固定できる。そして、固定部３を角部５に固定した後、保護材本体２を弾性復帰させて露出した固定部３の表面３ｄを覆うことによって、角部保護材１を容易に角部５にビス等の止着材によって取り付けることができる。
また、角部保護材１を角部５に取り付けるために、保護材本体２に空洞部等を形成する必要がないので、保護材本体２も丈夫であり、また、空洞部等に塵等が入るといったこともない。
【０００８】
請求項２に記載の発明は、請求項１に記載の角部保護材１において、
前記固定部３より前記保護材本体２が軟性であることを特徴とする。
【０００９】
ここで、例えば、固定部３をＥＰＤＭ（エチレン−プロピレンゴム）で形成した場合、保護材本体２は、発泡ＥＰＤＭで形成する。発泡ＥＰＤＭは、ＥＰＤＭより軟性であり、衝撃吸収性に優れている。
【００１０】
請求項２に記載の発明によれば、固定部３より保護材本体２が軟性であるので、該保護材本体２を弾性変形させ易く、よって、保護材本体２を容易に弾性変形させて固定部３を確実に角部５に固定できる。
また、固定部５を強固に角部に固定できるので、表側の保護材本体２が軟らかくても、角部保護材１を角部に確実に固定できる。
【００１１】
請求項３に記載の発明は、請求項１または２に記載の角部保護材１において、
前記保護材本体２と固定部３との間には、前記固定部３を止着材６によって前記角部５に固定する際に、該止着材６の頭部６ａを収めるスペース７が設けられていることを特徴とする。
【００１２】
請求項３に記載の発明によれば、固定部３を止着材６によって角部５に固定した場合、止着材６の頭部６ａが固定部３の表面から突出することになるが、保護材本体２と固定部３との間に止着材６の頭部６ａを収めるスペース７が設けられているので、止着材６の頭部６ａをスペースに収めることによって、頭部６ａが保護材本体２を裏面側から押圧することがない。したがって、保護材本体２が頭部６ａによって破損したり、また、保護材本体２の表面が頭部６ａによって盛り上がることもない。
【００１３】
請求項４に記載の発明は、例えば図３に示すように、請求項１〜３のいずれか一項に記載の角部保護材１において、
前記保護材本体２の端部には、係合部１０が形成されており、
前記固定部３の端部には、前記係合部１０が係合される被係合部１１が形成されていることを特徴とする。
【００１４】
請求項４に記載の発明によれば、保護材本体２を弾性変形させたうえで、固定部３を角部５に止着材等によって固定した後、保護材本体２を弾性復帰させて、固定部３の表面を覆う際に、保護材本体２の係合部１０を固定部３の被係合部１１に係合することによって、保護材本体２を確実に固定部３に被せて、該保護材本体２によって固定部３の表面を覆うことができるととともに、保護材本体２が固定部３からめくれるのを防止できる。
【００１５】
請求項５に記載の発明は、例えば図４に示すように、請求項１〜３のいずれか一項に記載の角部保護材１において、
前記保護材本体２と固定部３とのいずれか一方に、凸部１２が形成され、他方にこの凸１２部が凹凸嵌合する凹部１３が形成されていることを特徴とする。
【００１６】
請求項５に記載の発明によれば、保護材本体２を弾性変形させたうえで、固定部３を角部５に止着材６等によって固定した後、保護材本体２を弾性復帰させて、固定部３の表面を覆う際に、保護材本体２と固定部３とを凹凸嵌合することによって保護材本体２を確実に固定部３に被せて、該保護材本体２によって固定部３の表面を覆うことができるととともに、保護材本体２が固定部３からめくれるのを防止できる。
また、保護材本体２と固定部３とが凹凸嵌合するので、固定部２に対して保護材本体３を確実に位置決めして被せることができる。
【発明の効果】
【００１７】
本発明によれば、保護すべき角部を覆うようにして設けられる保護材本体と、この保護材本体に一体的に設けられ、角部に裏面を当接するようにして固定される固定部とを備え、保護材本体は、固定部の表面の少なくとも一部を保護材本体から露出させるように弾性変形可能であるので、固定部の裏面を保護すべき角部に当接したうえで、保護材本体を弾性変形させて、固定部の表面を露出させ、この露出した固定部の表面からビス等の止着材を角部にねじ込むまたは打ち込むことによって、保護すべき角部に固定部を容易に固定できる。そして、固定部を角部に固定した後、保護材本体を弾性復帰させて露出した固定部の表面を覆うことによって、角部保護材を容易に角部にビス等の止着材によって取り付けることができる。また、角部保護材を角部に取り付けるために、保護材本体に空洞部等を形成する必要がないので、保護材本体も丈夫であり、また、空洞部等に塵等が入るといったこともない。
【発明を実施するための最良の形態】
【００１８】
以下、図面を参照して本発明の実施の形態について説明する。
（第１の実施の形態）
図１および図２は第１の実施の形態を示すもので、図１は本発明に係る角部保護材の要部を示す斜視図、図２は同断面図である。
これらの図に示す角部保護材１は、ＥＰＤＭ（エチレン−プロピレンゴム）等の樹脂で成形されたものであり、保護材本体２と固定部３とで構成されている。保護材本体２は、柱４等の角部５を覆うようにして設けられるものであり、一片部２ａと他片部２ｂとから構成される断面Ｌ字状に形成された長尺なものである。また、保護材本体２の両端部にはそれぞれ柱４側に向けて突出する凸部２ｃ，２ｄがそれぞれ保護材本体２の長手方向に沿って一体的に形成されている。
【００１９】
固定部３は、一片部３ａと他片部３ｂとから構成される断面Ｌ字状に形成され、保護材本体２の長手方向に長尺なものであり、保護材本体２と一体的に形成されている。つまり、保護材本体２の内面は角部５に面しており、この内面側の保護材本体２の内角部と固定部３の外角部とが成形の際に連結された構造となっている。
また、保護材本体２の内面側には、前記凸部２ｃ，２ｄによって凹部が形成されており、この凹部に固定部３が収納されている。したがって、固定部３の表面３ｃは保護材本体２によって覆われている。また、固定部３の裏面３ｄは柱４の角部５に当接可能となるよに、直交した面となっている。
また、固定部３の表面３ｃは保護材本体２の端部に近づくほど、保護材本体２の裏面２ｅから離間しており、これによって、保護材本体２と固定部３との間には、固定部２を止着材６によって角部５に固定する際に、該止着材６の頭部６ａを収めるスペース７が設けられている。
【００２０】
さらに、前記保護材本体２は発泡ＥＰＤＭ（エチレン−プロピレンゴム）で形成され、固定部３はＥＰＤＭ（エチレン−プロピレンゴム）で形成されている。発泡ＥＰＤＭは、ＥＰＤＭより軟性であり、衝撃吸収性に優れている。したがって、固定部３より保護材本体２が軟性であり、衝撃吸収性に優れている。
また、保護材本体２は、固定部の表面の一部を保護材本体２から露出させるように弾性変形可能である。つまり、図２に示すように、保護材本体２の一片部２ａは、保護材本体２の内角部と固定部３の外角部とが連結された連結部近傍を軸として、固定部３から離間するように弾性的に回動変形可能であり、このように回動変形することによって、固定部３の一片部３ａの表面を保護材本体２から露出させるようになっている。同様に、保護材本体２の他片部３ｂも、保護材本体２の内角部と固定部３の外角部とが連結された連結部近傍を軸として、固定部３から離間するように弾性的に回動変形可能であり、このように回動変形することによって、固定部３の他片部３ｂの表面を保護材本体２から露出させるようになっている。
【００２１】
このような構成の角部保護材１を柱４の角部５に取り付けるには、固定部３の裏面３ｄを保護すべき角部５の表面に当接したうえで、保護材本体２の一片部２ａを保護材本体２の内角部と固定部３の外角部とが連結された連結部近傍を軸として、固定部３から離間するように弾性的に回動変形させる。回動変形は、一片部２ａを指等で掴んで引上げることにより行う。
すると、固定部３の一片部３ａの表面が露出するので、この一片部３ａの表面にビス等の止着材６を角部５にねじ込む、または打ち込むことによって、一片部３ａを角部５の表面に固定する。なお、止着材６は固定部３の長手方向に所定間隔で角部にねじ込む、または打ち込んでいく。
止着材６のねじ込み、または打ち込みが終了したら、保護材本体２の一片部２ａから指を外すことによって、一片部２ａを弾性復帰させて、先端部の凸部２ｃを角部の表面に当接させる。これによって、一片部２ａが再び保護材本体２によって覆われる。その際、一片部２ａと固定部３の一片部３ａとの間にはスペース７が設けられているので、このスペース７に止着材６の頭部６ａが収まる。
なお、一片部２ａは長尺であるので、この一片部２ａを弾性変形させて、止着材６を固定部３を通して角部５にねじ込むまたは打ち込む場合には、一片部２ａを長手方向に沿って少しずつ弾性的変形させながら行うのが望ましい。
上記のようして固定部３の一片部３ａを角部５に固定した後、固定部３の他片部３ｂを同様にして角部に固定していく。
【００２２】
このように、本実施の形態によれば、固定部３の裏面を保護すべき角部５に当接したうえで、保護材本体２を弾性変形させて、固定部３の表面を露出させ、この露出した固定部３の表面からビス等の止着材６を角部５にねじ込むまたは打ち込むことによって、保護すべき角部５に固定部３を容易に固定できる。そして、固定部３を角部５に固定した後、保護材本体２を弾性復帰させて露出した固定部３の表面を覆うことによって、角部保護材１を容易に角部５にビス等の止着材６によって取り付けることができる。
また、角部保護材１を角部５に取り付けるために、保護材本体２に空洞部等を形成する必要がないので、保護材本体２も丈夫であり、また、空洞部等に塵等が入るといったこともない。
【００２３】
さらに、固定部３より保護材本体２が軟性であるので、該保護材本体２を弾性変形させ易く、よって、保護材本体２を容易に弾性変形させて固定部３を確実に角部５に固定できる。
また、固定部３を強固５に角部に固定できるので、表側の保護材本体２が軟らかくても、角部保護材１を角部５に確実に固定できる。
また、保護材本体２と固定部３との間に止着材６の頭６ａ部を収めるスペース７が設けられているので、止着材６の頭部６ａをスペース７に収めることによって、頭部６ａが保護材本体２を裏面側から押圧することがない。したがって、保護材本体２が頭部６ａによって破損したり、また、保護材本体２の表面が頭部６ａによって盛り上がることもない。
【００２４】
（第２の実施の形態）
図３は本発明の第２の実施の形態を示すもので、角部保護材の断面図である。この図に示す角部保護材が、図１および図２に示す角部保護材と異なる点は、保護材本体２の端部に係合部を形成し、固定部３の端部に被係合部を形成した点であるので、以下ではこの点について詳しく説明し、図１および図２に示すものと共通部分には同一符号を付してその説明を省略ないし簡略化する。
【００２５】
保護材本体２の端部にある凸部２ｃ，２ｄの内側の側面には、係合部１０，１０が形成されている。この係合部１０は断面直角三角形状に、かつ保護材本体２の長手方向（紙面と直交する方向）に沿って長尺に形成されている。
一方、固定部３の端部には、傾斜面１１が形成されており、この傾斜面１１は前記係合部１０が係合される被係合部となっている。傾斜面（係合部）１１は固定部３の長手方向に延在する面であり、外側に向かうほど柱４の角部５の表面から離間するように傾斜している。
【００２６】
そして、上記のような係合部１０と被係合部１１とを備えた角部保護材１では、保護材本体２の一片部２ａおよび他片部２ｂを第１の実施の形態と同様にして弾性変形させたうえで、固定部３を角部５に止着材６によって固定した後、保護材本体２の一片部２ａおよび他片部２ｂを弾性復帰させて、固定部２の表面を覆う際に、保護材本体２の係合部１０，１０を固定部３の被係合部１１，１１に係合することによって、保護材本体２を確実に固定部３に被せて、該保護材本体２によって固定部３の表面を覆うことができるととともに、保護材本体２が固定部３からめくれるのを防止できる。
【００２７】
（第３の実施の形態）
図４は本発明の第３の実施の形態を示すもので、角部保護材の断面図である。この図に示す角部保護材が、図１および図２に示す角部保護材と異なる点は、固定部３に凸部を形成し、保護材本体２に凹部を形成したとのいずれか一方に、凸部が形成され、他方にこの凸部が凹凸嵌合する凹部が形成した点であるので、以下ではこの点について詳しく説明し、図１および図２に示すものと共通部分には同一符号を付してその説明を省略ないし簡略化する。
【００２８】
固定部３の端部には、一片部３ａと他片部３ｂにそれぞれ直交する凸部１２，１２が形成されている。凸部１２は固定部３の長手方向（紙面と直交する方向）に延在するように形成されている。
一方、保護材本体２の裏面には、前記凸部１２，１２と対向する位置に、凹部１３，１３が形成されている。凹部１３は保護材本体２の長手方向（紙面と直交する方向）に延在するように形成されている。
そして、前記凸部１２と凹部１３とが凹凸嵌合している。なお、図示は省略するが、凸部１２と凹部１３とが嵌合する面には、滑り止めのための細かい凹凸が形成されている。
【００２９】
そして、上記のような凸部１２と凹部１３とを備えた角部保護材１では、保護材本体２の一片部２ａおよび他片部２ｂを第１の実施の形態と同様にして弾性変形させたうえで、固定部３を角部５に止着材６によって固定した後、保護材本体２の一片部２ａおよび他片部２ｂを弾性復帰させて、固定部２の表面を覆う際に、保護材本体２の凹部１３，１３とを固定部３の凸部１２，１２とを凹凸嵌合することによって保護材本体２を確実に固定部２に被せて、該保護材本体２によって固定部３の表面を覆うことができるととともに、保護材本体２が固定部３からめくれるのを防止できる。
また、保護材本体２と固定部３とが凹凸嵌合するので、固定部３に対して保護材本体３を確実に位置決めして被せることができる。
【図面の簡単な説明】
【００３０】
【図１】本発明の第１の実施の形態を示すもので、角部保護材の要部を示す斜視図である。
【図２】同、角部保護材の断面図である。
【図３】本発明の第２の実施の形態を示す角部保護材の断面図である。
【図４】本発明の第３の実施の形態を示す角部保護材の断面図である。
【符号の説明】
【００３１】
１  角部保護材
２  保護材本体
３  固定部
４  柱
５  角部
６  止着材
６ａ  頭部
７  スペース
１０  係合部
１１  傾斜面（被係合部）
１２  凸部
１３  凹部
【図１】
2006336373.tif 000003
【図２】
2006336373.tif 000004
【図３】
2006336373.tif 000005
【図４】
2006336373.tif 000006